(57)【要約】【課題】本体筐体と接触した際の衝撃が露光ヘッドに伝わることを抑制できる画像形成装置を提供する。【解決手段】  画像形成装置１は、本体筐体２と、ドラムカートリッジ１６Ｙと、ドロワユニット４とを備える。ドロワユニット４は、露光ヘッド１４Ｙを備える。露光ヘッド１４Ｙは、ドロワユニット４が内部位置から外部位置へ移動している間に、露光ヘッド１４Ｙ以外のドロワユニット４の一部が本体筐体２と接触することにより、ドラムカートリッジ１６Ｙの感光ドラム１２Ｙに近接する第１近接位置から、第１近接位置よりも感光ドラム１２Ｙから離間する第１離間位置へ移動する。【選択図】図２
2019117370.tif 000002
【特許請求の範囲】
【請求項１】
本体筐体と、
第１感光ドラムを備える第１ドラムカートリッジと、
前記第１ドラムカートリッジが装着可能であり、前記本体筐体の内にある内部位置と前記本体筐体の外にある外部位置との間を移動方向に移動可能なドロワユニットであって、ドロワフレームと、前記第１感光ドラムに近接する第１近接位置と、前記第１近接位置よりも前記第１感光ドラムから離間する第１離間位置との間を移動可能な第１露光ヘッドとを備えるドロワユニットと、
を備え、
前記第１露光ヘッドは、前記ドロワユニットが前記内部位置から前記外部位置へ移動している間に、前記第１露光ヘッド以外の前記ドロワユニットの一部が前記本体筐体と接触することにより、前記第１近接位置から前記第１離間位置へ移動することを特徴とする、
画像形成装置。
【請求項２】
前記ドロワユニットは、前記内部位置から前記外部位置へ移動している間に、前記本体筐体と接触する前記ドロワユニットの一部と接触することにより前記第１露光ヘッドを移動させる移動部材を備えることを特徴とする、請求項１に記載の画像形成装置。
【請求項３】
前記ドロワユニットの一部は、前記ドロワフレームに対して回転可能な第１レバーであって、前記移動部材を押圧する押圧位置と、前記移動部材に対する押圧を解除する押圧解除位置との間を移動可能な第１レバーであり、前記ドロワユニットが前記内部位置から前記外部位置へ移動するときに、前記押圧解除位置から前記押圧位置に向かって移動する第１レバーであり、
前記第１露光ヘッドは、前記第１レバーが前記押圧解除位置から前記押圧位置に向かって移動することにより、前記第１近接位置から前記第１離間位置へ移動することを特徴とする、請求項２に記載の画像形成装置。
【請求項４】
前記第１レバーは、前記ドロワユニットが前記内部位置から前記外部位置へ移動するときに前記本体筐体と接触する第１ロッドと、前記押圧位置に位置するときに前記移動部材を押圧する第２ロッドとを有し、
前記移動部材は、前記第１レバーによって押圧されることにより回転可能な第２レバーであって、前記第１レバーの前記第２ロッドと接触する第１ロッドと、前記第１露光ヘッドと接触する第２ロッドとを有する第２レバーであることを特徴とする、請求項３に記載の画像形成装置。
【請求項５】
前記ドロワユニットは、前記第１レバーを前記押圧位置で固定するための固定機構を備えることを特徴とする、請求項３または請求項４に記載の画像形成装置。
【請求項６】
前記固定機構は、ラチェットを含むことを特徴とする、請求項５に記載の画像形成装置。
【請求項７】
前記第１レバーは、前記第１レバーの回転方向に並ぶ複数のギア歯を有し、
前記ドロワユニットは、
前記複数のギア歯とともに前記ラチェットを構成する歯止めであって、前記ギア歯に噛み合う噛合位置と、前記ギア歯との噛み合いが解除される噛合解除位置との間を移動可能な歯止めと、
前記歯止めに接触して前記歯止めを前記噛合位置に位置させる接触位置と、前記歯止めから離れた離間位置との間を回転可能な第３レバーであって、前記接触位置に位置するときに前記歯止めに接触する第１突起を有する第３レバーと、
を備えることを特徴とする、請求項６に記載の画像形成装置。
【請求項８】
前記第１レバーは、前記ドロワユニットが前記内部位置から前記外部位置へ移動するときに前記本体筐体と接触する第１ロッドと、前記押圧位置に位置するときに前記移動部材を押圧する第２ロッドとを有し、
前記第３レバーは、前記第１レバーの回転軸線について回転可能であり、
前記ドロワユニットが前記内部位置から前記外部位置へ移動している間に前記第１レバーの前記第１ロッドとともに前記本体筐体と接触する第１ロッドと、
前記ドロワユニットが前記外部位置から前記内部位置へ移動している間に前記本体筐体と接触する第２ロッドと
を有することを特徴とする、請求項７に記載の画像形成装置。
【請求項９】
前記第３レバーは、前記接触位置から前記離間位置へ移動するときに、前記第１レバーを前記押圧位置から前記押圧解除位置へ向かって押圧する第２突起を備えることを特徴とする、請求項７または請求項８に記載の画像形成装置。
【請求項１０】
前記第３レバーは、第３突起を有し、
前記ドロワユニットは、前記第３レバーの前記第３突起に接触するバネであって、前記第３レバーが前記接触位置に位置するときに、前記第３レバーが前記離間位置から前記接触位置に向かう方向に向かって、前記第３突起を押圧するバネを備え、
前記第３レバーおよび前記バネは、前記複数のギア歯および前記歯止めとともに、前記固定機構を構成することを特徴とする、請求項７から請求項９のいずれか一項に記載の画像形成装置。
【請求項１１】
前記バネは、前記第３レバーが前記離間位置に位置するときに、前記第３レバーが前記接触位置から前記離間位置に向かう方向に向かって、前記第３突起を押圧することを特徴とする、請求項１０に記載の画像形成装置。
【請求項１２】
前記本体筐体は、第１ラックギアを有し、
前記ドロワユニットの一部は、前記ドロワユニットが前記内部位置と前記外部位置との間を移動している間に前記第１ラックギアに噛み合って回転する第１ギアであり、
前記移動部材は、前記第１ギアと前記第１露光ヘッドとを接続する第１ワイヤーであって、前記ドロワユニットが前記内部位置から前記外部位置へ移動するときに、前記第１ギアが回転することによって巻き取られる第１ワイヤーであり、
前記第１露光ヘッドは、前記第１ワイヤーが巻き取られることにより、前記第１近接位置から前記第１離間位置へ移動することを特徴とする、請求項２に記載の画像形成装置。
【請求項１３】
前記ドロワユニットは、前記第１離間位置に位置する前記第１露光ヘッドを前記第１近接位置へ向かって引っ張る第１バネを備えることを特徴とする、請求項１２に記載の画像形成装置。
【請求項１４】
前記ドロワユニットは、
前記第１露光ヘッドを前記第１離間位置にロックするロック位置と、前記第１露光ヘッドに対するロックを解除するロック解除位置との間を移動可能なロック部材と、
前記ロック解除位置に位置する前記ロック部材を前記ロック位置に向かって押圧する第２バネと、
を備え、
前記本体筐体は、前記ドロワユニットが前記外部位置から前記内部位置へ移動するときに、前記ロック位置に位置する前記ロック部材と接触する突起を備えることを特徴とする、請求項１２または請求項１３に記載の画像形成装置。
【請求項１５】
第２感光ドラムをさらに備え、
前記ドロワユニットは、前記第２感光ドラムに近接する第２近接位置と、前記第２近接位置よりも前記第２感光ドラムから離間する第２離間位置との間を移動可能な第２露光ヘッドを備え、
前記本体筐体は、第２ラックギアを備え、
前記ドロワユニットは、前記ドロワユニットが前記内部位置と前記外部位置との間を移動している間に前記第２ラックギアに噛み合って回転する第２ギアと、前記第２ギアと前記第２露光ヘッドとを接続する第２ワイヤーと、前記第１ワイヤーが接触する第１滑車と、前記第２ワイヤーが接触する第２滑車とを備え、
前記第１近接位置に位置する前記第１露光ヘッドと前記第１滑車との距離は、前記第２近接位置に位置する前記第２露光ヘッドと前記第２滑車との距離と同じであることを特徴とする、請求項１４に記載の画像形成装置。
【請求項１６】
上下方向における前記第２ラックギアの位置は、上下方向における前記第１ラックギアの位置と異なることを特徴とする、請求項１５に記載の画像形成装置。
【請求項１７】
前記本体筐体は、ラックギアを有し、
前記ドロワユニットは、前記第１露光ヘッドを前記第１離間位置から前記第１近接位置へ向かって押圧するバネを備え、
前記ドロワユニットの一部は、前記ドロワユニットが前記内部位置と前記外部位置との間を移動している間に前記ラックギアに噛み合って回転するギアであり、
前記ギアは、カムを有し、
前記カムは、
前記ドロワユニットが前記内部位置から前記外部位置へ移動している間に、前記ギアが回転することによって、前記第１露光ヘッドを前記第１離間位置に位置させる押圧位置に移動し、
前記ドロワユニットが前記外部位置から前記内部位置へ移動している間に、前記ギアが回転することによって、前記第１露光ヘッドに対する押圧を解除する押圧解除位置に移動することを特徴とする、請求項１に記載の画像形成装置。
【請求項１８】
前記第１露光ヘッドは、前記カムと接触可能な第１平面を有し、
前記カムは、前記押圧位置に位置するときに前記第１平面と接触する第２平面を有することを特徴とする、請求項１７に記載の画像形成装置。
【請求項１９】
前記ドロワユニットの一部は、前記第１露光ヘッドに接続されるレバーであって、前記第１露光ヘッドを前記第１近接位置に位置させる第１位置と、前記第１露光ヘッドを前記第１離間位置に位置させる第２位置との間を回転可能なレバーであることを特徴とする、
請求項１７に記載の画像形成装置。
【請求項２０】
前記レバーは、回転軸と、前記第１露光ヘッドに接続される第１ロッドと、前記本体筐体に接触する第２ロッドとを有し、
前記回転軸が延びる方向における前記第２ロッドの位置は、前記回転軸が延びる方向における前記第１ロッドの位置と異なることを特徴とする、請求項１９に記載の画像形成装置。
【請求項２１】
前記第１感光ドラムに供給されるトナーを収容可能であり、前記ドロワユニットに装着可能な第１現像カートリッジであって、カップリングを有する第１現像カートリッジを備え、
前記レバーは、前記第１位置に位置するときに前記カップリングが嵌まる凹部を有することを特徴とする、請求項２０に記載の画像形成装置。
【請求項２２】
前記ドロワユニットは、前記第１感光ドラムが固定される板金を備え、
前記レバーは、前記第１位置に位置するときに、前記板金に接触することを特徴とする、請求項２０または請求項２１のいずれか一項に記載の画像形成装置。
【請求項２３】
前記ドロワユニットは、前記第１露光ヘッドが前記第１離間位置に位置するときに前記第１露光ヘッドを覆うカバーを備えることを特徴とする、請求項１７から請求項２２のいずれか一項に記載の画像形成装置。
【発明の詳細な説明】
【技術分野】
【０００１】
本発明は、画像形成装置に関する。
【背景技術】
【０００２】
従来、画像形成装置は、本体筐体と、感光ドラムを備えるドラムカートリッジと、ドロワユニットとを備える。ドロワユニットには、ドラムカートリッジが装着可能である。ドロワユニットは、本体筐体の内にある内部位置と本体筐体の外にある外部位置との間を移動方向に移動可能である。ドロワユニットは、ドロワフレームと、露光ヘッドとを備える。露光ヘッドは、感光ドラムに近接する近接位置と、近接位置よりも感光ドラムから離間する離間位置との間を移動可能である。露光ヘッドは、ドロワユニットが内部位置から外部位置へ移動している間に、露光ヘッド自体が本体筐体と接触することにより、近接位置から離間位置へ移動する（下記特許文献１参照）。
【先行技術文献】
【特許文献】
【０００３】
【特許文献１】特開２０１２−１４５８７８号公報
【発明の概要】
【発明が解決しようとする課題】
【０００４】
上記した特許文献１に記載の画像形成装置では、露光ヘッド自体が本体筐体と接触するため、本体筐体と接触した際の衝撃が露光ヘッドに伝わりやすく、衝撃によって露光ヘッドが破損するなどの影響が懸念される。
【０００５】
そこで、本開示の目的は、本体筐体と接触した際の衝撃が露光ヘッドに伝わることを抑制できる画像形成装置を提供することにある。
【課題を解決するための手段】
【０００６】
本発明の画像形成装置は、本体筐体と、第１感光ドラムを備える第１ドラムカートリッジと、ドロワユニットとを備える。ドロワユニットには、第１ドラムカートリッジが装着可能である。ドロワユニットは、本体筐体の内にある内部位置と本体筐体の外にある外部位置との間を移動方向に移動可能である。ドロワユニットは、ドロワフレームと、第１露光ヘッドとを備える。第１露光ヘッドは、第１感光ドラムに近接する第１近接位置と、第１近接位置よりも第１感光ドラムから離間する第１離間位置との間を移動可能である。
【０００７】
第１露光ヘッドは、ドロワユニットが内部位置から外部位置へ移動している間に、第１露光ヘッド以外のドロワユニットの一部が本体筐体と接触することにより、第１近接位置から第１離間位置へ移動する。
【０００８】
このような構成によれば、第１露光ヘッド以外のドロワユニットの一部が本体筐体と接触することにより、第１露光ヘッドが移動する。
【０００９】
そのため、露光ヘッド自体が本体筐体と接触する場合と比べて、本体筐体と接触した際の衝撃が露光ヘッドに伝わることを抑制できる。
【発明の効果】
【００１０】
本発明の画像形成装置によれば、本体筐体と接触した際の衝撃が露光ヘッドに伝わることを抑制できる。
【図面の簡単な説明】
【００１１】
【図１】図１は、画像形成装置の概略構成図である。
【図２】図２は、図１に示すドロワユニットが外部位置に位置した状態を示す。
【図３】図３は、第１実施形態の画像形成装置の概略構成図である。
【図４】図４は、図３に示すドロワユニットの断面図である。
【図５】図５は、図３に示すドロワユニットが内部位置から外部位置へ移動する間における第１レバー、第３レバーおよび歯止めの動きを説明する説明図であって、第１レバーおよび第３レバーが本体筐体の突起に接触する前であり、第１レバーが押圧解除位置に位置し、第３レバーが離間位置に位置し、歯止めが噛合解除位置に位置した状態を示す。
【図６】図６は、図５に続く説明図であって、第１レバーおよび第３レバーが本体筐体の突起に接触した後であり、第１レバーが押圧位置に位置し、第３レバーが離間位置から接触位置に移動する途中であり、歯止めが噛合解除位置に位置した状態を示す。
【図７】図７は、図６に示す状態におけるドロワユニットの断面図である。
【図８】図８は、図６に続く説明図であって、第１レバーが押圧位置に位置し、第３レバーが接触位置に位置し、歯止めが噛合位置に位置した状態を示す。
【図９】図９は、図８に示すドロワユニットが外部位置から内部位置へ移動する間における第１レバー、第３レバーおよび歯止めの動きを説明する説明図であって、第３レバーが本体筐体の突起に接触した後であり、第３レバーが接触位置から離間位置に移動する途中であり、歯止めが噛合解除位置に位置し、第１レバーが押圧位置から押圧解除位置に移動する途中の状態を示す。
【図１０】図１０は、図９に続く説明図であって、第３レバーが離間位置に位置し、第１レバーが押圧解除位置に位置した状態を示す。なお、歯止めは、噛合解除位置に位置している。
【図１１】図１１は、第１レバー、第２レバー、歯止めおよび第３レバーの斜視図である。
【図１２】図１２は、第２実施形態のドロワユニットの側面図であって、ドロワユニットが内部位置に位置し、露光ヘッドが第１近接位置に位置し、ロック部材がロック解除位置に位置した状態を示す。
【図１３】図１３は、図１２に示すドロワユニットの正面図である。
【図１４】図１４は、図１２に示すドロワユニットが外部位置に位置し、露光ヘッドが第１離間位置に位置し、ロック部材がロック位置に位置した状態を示す。
【図１５】図１５は、第３実施形態の画像形成装置の概略構成図であって、ドロワユニットが内部位置に位置し、カムが押圧解除位置に位置した状態を示す。
【図１６】図１６は、図１５に示すドロワユニットが外部位置に位置し、カムが押圧位置に位置した状態を示す。
【図１７】図１７は、第４実施形態のドロワユニットの斜視図である。
【図１８】図１８は、図１７に示すドロワユニットの側面図であって、ドロワユニットが外部位置に位置し、露光ヘッドが第１離間位置に位置した状態を示す。
【図１９】図１９は、図１７に示す板金の斜視図である。
【図２０】図２０は、図１７に示すドロワユニットの側面図であって、ドロワユニットが内部位置に位置し、露光ヘッドが第１近接位置に位置した状態を示す。
【図２１】図２１は、図２０の部分拡大図である。
【図２２】図２２は、レバーおよび露光ヘッドの斜視図である。
【図２３】図２３は、露光ヘッドが第１近接位置に位置した状態であって、カップリングのギア歯がレバーの凹部に嵌まった状態を示す。
【図２４】図２４は、レバーを押圧するバネについて説明する説明図である。
【発明を実施するための形態】
【００１２】
１．画像形成装置１
図１および図２を参照して、画像形成装置１について説明する。
【００１３】
図１に示すように、画像形成装置１は、本体筐体２と、給紙部３と、ドロワユニット４と、複数のドラムカートリッジ１６Ｙ、１６Ｍ、１６Ｃ、１６Ｋと、複数の現像カートリッジ５Ｙ、５Ｍ、５Ｃ、５Ｋと、転写ユニット６と、定着器７とを備える。
【００１４】
１．１  本体筐体
本体筐体２は、画像形成装置１の外装を構成する。本体筐体２は、給紙部３と、ドロワユニット４と、複数の現像カートリッジ５Ｙ、５Ｍ、５Ｃ、５Ｋと、転写ユニット６と、定着器７を収容する。本体筐体２は、開口２Ａを有する。開口２Ａは、ドロワユニット４が内部位置に位置する状態で、ドロワユニット４に対して、定着器７の反対側に位置する。内部位置については、後で説明する。また、本体筐体２は、カバー２Ｂを備える。カバー２Ｂは、開口２Ａを閉鎖する閉位置（図１参照）と、開口２Ａを開放する開位置（図２参照）との間を移動可能である。
【００１５】
１．２  給紙部
給紙部３は、感光ドラム１２Ｙに向かってシートＳを供給するように構成される。シートＳは、例えば、印刷用紙である。感光ドラム１２Ｙについては、後で説明する。給紙部３は、給紙トレイ９と、ピックアップローラ１０と、給紙ローラ１１とを備える。給紙トレイ９は、シートＳを収容するように構成される。ピックアップローラ１０は、給紙トレイ９内のシートＳを給紙ローラ１１に向かって搬送するように構成される。給紙ローラ１１は、ピックアップローラ１０からのシートＳを感光ドラム１２Ｙに向かって搬送するように構成される。
【００１６】
１．３  ドロワユニット
図２に示すように、ドロワユニット４は、カバー２Ｂが開位置に位置する状態で、開口２Ａを介して、内部位置（図１参照）と外部位置（図２参照）との間を移動可能である。内部位置は、ドロワユニット４が本体筐体２の内にあるときの、ドロワユニット４の位置である。外部位置は、ドロワユニット４が本体筐体２の外にあるときの、ドロワユニット４の位置である。ドロワユニット４が内部位置と外部位置との間を移動する方向を、移動方向と定義する。図１に示すように、ドロワユニット４は、複数の露光ヘッド１４Ｙ、１４Ｍ、１４Ｃ、１４Ｋを備える。
【００１７】
複数の露光ヘッド１４Ｙ、１４Ｍ、１４Ｃ、１４Ｋは、移動方向において、互いに間隔を空けて並ぶ。露光ヘッド１４Ｙは、ドラムカートリッジ１６Ｙがドロワユニット４に装着された状態で、感光ドラム１２Ｙの上方に位置する。露光ヘッド１４Ｙは、感光ドラム１２Ｙを露光するように構成される。露光ヘッド１４Ｍは、ドラムカートリッジ１６Ｍがドロワユニット４に装着された状態で、感光ドラム１２Ｍに対して上方に位置する。露光ヘッド１４Ｍは、感光ドラム１２Ｍを露光するように構成される。露光ヘッド１４Ｃは、ドラムカートリッジ１６Ｃがドロワユニット４に装着された状態で、感光ドラム１２Ｃに対して上方に位置する。露光ヘッド１４Ｃは、感光ドラム１２Ｃを露光するように構成される。露光ヘッド１４Ｋは、ドラムカートリッジ１６Ｋがドロワユニット４に装着された状態で、感光ドラム１２Ｋに対して上方に位置する。露光ヘッド１４Ｋは、感光ドラム１２Ｋを露光するように構成される。
【００１８】
１．４  複数のドラムカートリッジ
複数のドラムカートリッジ１６Ｙ、１６Ｍ、１６Ｃ、１６Ｋのそれぞれは、ドロワユニット４が外部位置（図２参照）に位置しているときに、ドロワユニット４に装着可能である。複数のドラムカートリッジ１６Ｙ、１６Ｍ、１６Ｃ、１６Ｋは、ドロワユニット４に装着された状態で、移動方向において、互いに間隔を隔てて並ぶ。
【００１９】
ドラムカートリッジ１６Ｙは、感光ドラム１２Ｙと、帯電器１３Ｙとを備える。
【００２０】
感光ドラム１２Ｙは、所定の回転軸線について回転可能である。感光ドラム１２Ｙの回転軸線が延びる方向を、軸線方向と定義する。軸線方向は、移動方向および上下方向と交差する。感光ドラム１２Ｙは、軸線方向に延びる。感光ドラム１２Ｙは、円筒形状を有する。
【００２１】
帯電器１３Ｙは、感光ドラム１２Ｙの周面を帯電するように構成される。帯電器１３Ｙが感光ドラム１２Ｙの周面を帯電した後、露光ヘッド１４Ｙが、帯電された感光ドラム１２Ｙの周面を露光することにより、感光ドラム１２Ｙの周面に静電潜像が形成される。帯電器１３Ｙは、ドラムカートリッジ１６Ｙがドロワユニット４に装着された状態で、移動方向において、露光ヘッド１４Ｙに対して現像ローラ１５Ｙの反対側に位置する。現像ローラ１５Ｙについては、後で説明する。帯電器１３Ｙは、ドラムカートリッジ１６Ｙがドロワユニット４に装着された状態で、感光ドラム１２Ｙの回転方向において、露光ヘッド１４Ｙに対して上流側に位置する。帯電器１３Ｙは、具体的には、帯電ローラである。なお、帯電器１３Ｙは、スコロトロン型の帯電器であってもよい。
【００２２】
なお、ドラムカートリッジ１６Ｍは、感光ドラム１２Ｍと、帯電器１３Ｍとを備える。ドラムカートリッジ１６Ｃは、感光ドラム１２Ｃと、帯電器１３Ｃとを備える。ドラムカートリッジ１６Ｋは、感光ドラム１２Ｋと、帯電器１３Ｋとを備える。ドラムカートリッジ１６Ｍ、１６Ｃ、１６Ｋのそれぞれは、ドラムカートリッジ１６Ｙと同じ構造を有し、ドラムカートリッジ１６Ｙと同様に説明される。そのため、ドラムカートリッジ１６Ｍ、１６Ｃ、１６Ｋのそれぞれについての説明は、省略される。
【００２３】
１．４  複数の現像カートリッジ
複数の現像カートリッジ５Ｙ、５Ｍ、５Ｃ、５Ｋのそれぞれは、ドロワユニット４が外部位置（図２参照）に位置しているときに、ドロワユニット４に装着可能である。現像カートリッジ５Ｙは、感光ドラム１２Ｙに供給されるトナーを収容可能である。現像カートリッジ５Ｙは、現像ローラ１５Ｙを備える。
【００２４】
現像ローラ１５Ｙは、現像カートリッジ５Ｙ内のトナーを感光ドラム１２Ｙに供給するように構成される。静電潜像が形成された感光ドラム１２Ｙに現像カートリッジ５Ｙ内のトナーが供給されることにより、静電潜像が現像され、感光ドラム１２Ｙの周面にトナー像が形成される。言い換えると、トナー像は、トナーが現像ローラ１５Ｙから感光ドラム１２Ｙに静電気的に移動することにより、感光ドラム１２Ｙに形成された静電潜像が現像され、感光ドラム１２Ｙの周面に形成される。現像ローラ１５Ｙの一部は、現像カートリッジ５Ｙの内部に収容される。現像ローラ１５Ｙは、ドラムカートリッジ１６Ｙおよび現像カートリッジ５Ｙがドロワユニット４に装着された状態で、感光ドラム１２Ｙの回転方向において、露光ヘッド１４Ｙに対して下流側に位置する。現像ローラ１５Ｙは、現像カートリッジ５Ｙがドロワユニット４に装着された状態で、感光ドラム１２Ｙの周面に接触する。
【００２５】
現像カートリッジ５Ｍは、感光ドラム１２Ｍに供給されるトナーを収容可能であり、現像ローラ１５Ｍを備える。現像カートリッジ５Ｃは、感光ドラム１２Ｃに供給されるトナーを収容可能であり、現像ローラ１５Ｃを備える。現像カートリッジ５Ｋは、感光ドラム１２Ｋに供給されるトナーを収容可能であり、現像ローラ１５Ｋを備える。現像カートリッジ５Ｍ、５Ｃ、５Ｋのそれぞれは、現像カートリッジ５Ｙと同じ構造を有し、現像カートリッジ５Ｙと同様に説明される。そのため、現像カートリッジ５Ｍ、５Ｃ、５Ｋのそれぞれについての説明は、省略される。
【００２６】
１．５  転写ユニット
転写ユニット６は、ドロワユニット４が内部位置に位置するときに、複数の感光ドラム１２Ｙ、１２Ｍ、１２Ｃ、１２Ｋの下方に位置する。転写ユニット６は、ドロワユニット４が内部位置に位置するときに、複数の感光ドラム１２Ｙ、１２Ｍ、１２Ｃ、１２Ｋと接触する。転写ユニット６は、給紙部３から供給されたシートＳを定着器７に向かって搬送する。転写ユニット６は、シートＳが複数の感光ドラム１２Ｙ、１２Ｍ、１２Ｃ、１２Ｋのそれぞれと接触するときに、複数の感光ドラム１２Ｙ、１２Ｍ、１２Ｃ、１２Ｋのそれぞれのトナー像をシートＳに転写する。
【００２７】
１．６  定着器
定着器７は、トナー像が転写されたシートＳを加熱および加圧して、シートＳにトナー像を定着させるように構成される。定着器７を通過したシートＳは、本体筐体２の上面に排紙される。
【００２８】
２．露光ヘッドの移動
次いで、図１および図２を参照して、複数の露光ヘッド１４Ｙ、１４Ｍ、１４Ｃ、１４Ｋの移動について説明する。
【００２９】
露光ヘッド１４Ｙは、感光ドラム１２Ｙに近接する第１近接位置（図１参照）と、第１近接位置よりも感光ドラム１２Ｙから離間する第１離間位置（図２参照）との間を移動可能である。露光ヘッド１４Ｙは、ドロワユニット４が内部位置から外部位置へ移動している間に、ドロワユニット４の一部が本体筐体２と接触することにより、第１近接位置から第１離間位置へ移動する。ドロワユニット４の一部は、露光ヘッド１４Ｙ以外の部分である。
【００３０】
なお、ドラムカートリッジ１６Ｙは、露光ヘッド１４Ｙが第１近接位置に位置した状態で、ドロワユニット４から離脱不能であり、露光ヘッド１４Ｙが第１離間位置に位置した状態で、ドロワユニット４から離脱可能となる。
【００３１】
また、ドロワユニット４が内部位置から外部位置へ移動している間に、露光ヘッド１４Ｍは、感光ドラム１２Ｍから離間し、露光ヘッド１４Ｃは、感光ドラム１２Ｃから離間し、露光ヘッド１４Ｋは、感光ドラム１２Ｋから離間する。
【００３２】
以下、ドロワユニット４が内部位置から外部位置へ移動している間に複数の露光ヘッド１４Ｙ、１４Ｍ、１４Ｃ、１４Ｋを移動させるための機構を、具体的な実施形態を示して説明する。
【００３３】
３．第１実施形態
図３から図１１を参照して、第１実施形態について説明する。
【００３４】
３．１  ドロワユニットの詳細
図３に示すように、ドロワユニット２０は、上記した複数の露光ヘッド１４Ｙ、１４Ｍ、１４Ｃ、１４Ｋに加え、ドロワフレーム２１と、複数の第１レバー２２Ｙ、２２Ｍ、２２Ｃ、２２Ｋと、複数の第２レバー２３Ｙ、２３Ｍ、２３Ｃ、２３Ｋと、複数の歯止め２４Ｙ、２４Ｍ、２４Ｃ、２４Ｋと、複数の第３レバー２５Ｙ、２５Ｍ、２５Ｃ、２５Ｋと、複数のバネ２６Ｙ、２６Ｍ、２６Ｃ、２６Ｋとを備える。また、ドロワユニット２０には、上記したドロワユニット４（図１参照）と同様に、複数のドラムカートリッジ１６Ｙ、１６Ｍ、１６Ｃ、１６Ｋ（図１参照）が装着可能である。
【００３５】
なお、複数の第１レバー２２Ｙ、２２Ｍ、２２Ｃ、２２Ｋのそれぞれは、同じ構造を有し、同様に説明される。そのため、以下の説明において、第１レバー２２Ｙについて説明し、第１レバー２２Ｍ、２２Ｃ、２２Ｋについての説明を省略する。また、複数の第２レバー２３Ｙ、２３Ｍ、２３Ｃ、２３Ｋ、複数の歯止め２４Ｙ、２４Ｍ、２４Ｃ、２４Ｋ、複数の第３レバー２５Ｙ、２５Ｍ、２５Ｃ、２５Ｋ、複数のバネ２６Ｙ、２６Ｍ、２６Ｃ、２６Ｋについても、第２レバー２３Ｙ、歯止め２４Ｙ、第３レバー２５Ｙ、バネ２６Ｙについて説明し、第２レバー２３Ｍ、２３Ｃ、２３Ｋ、歯止め２４Ｍ、２４Ｃ、２４Ｋ、第３レバー２５Ｍ、２５Ｃ、２５Ｋ、バネ２６Ｍ、２６Ｃ、２６Ｋについての説明を省略する。
【００３６】
３．１．１  ドロワフレーム
ドロワフレーム２１は、図４に示す第１サイドフレーム２７と、図示されない第２サイドフレームとを備える。
【００３７】
第１サイドフレーム２７は、移動方向に延びる。第１サイドフレーム２７は、複数の第１レバー２２Ｙ、２２Ｍ、２２Ｃ、２２Ｋと、複数の第２レバー２３Ｙ、２３Ｍ、２３Ｃ、２３Ｋと、複数の歯止め２４Ｙ、２４Ｍ、２４Ｃ、２４Ｋと、複数の第３レバー２５Ｙ、２５Ｍ、２５Ｃ、２５Ｋと、複数のバネ２６Ｙ、２６Ｍ、２６Ｃ、２６Ｋを収容する。
【００３８】
第２サイドフレームは、軸線方向において、感光ドラム１２Ｙに対して、第１サイドフレーム２７の反対側に位置する。第２サイドフレームは、第１サイドフレーム２７と同様に説明される。そのため、第２サイドフレームについての説明は、省略される。
【００３９】
３．１．２  第１レバー
第１レバー２２Ｙは、図４に示すように、第１サイドフレーム２７に取り付けられる。第１レバー２２Ｙは、ドロワフレーム２１に対して回転可能である。第１レバー２２Ｙは、ドロワフレーム２１に対して回転することにより、押圧位置（図６参照）と押圧解除位置（図５参照）との間を移動可能である。
【００４０】
第１レバー２２Ｙは、図５および図６に示すように、ドロワユニット２０が内部位置から外部位置へ移動するときに、本体筐体２内に設けられる突起１００と接触することにより、押圧解除位置から押圧位置に向かって移動する。第１レバー２２Ｙは、押圧位置に位置するとき、第２レバー２３Ｙの第１ロッド２３２を押圧する。すると、図７に示すように、第２レバー２３Ｙは、回転軸２３１について回転し、バネ１０１の押圧力に抗して、第２ロッド２３３によって露光ヘッド１４Ｙを押し上げる。これにより、露光ヘッド１４Ｙは、第１近接位置から第１離間位置へ移動する。すなわち、第１レバー２２Ｙは、本体筐体２と接触するドロワユニット２０の一部であり、露光ヘッド１４Ｙは、第１レバー２２Ｙが押圧解除位置から押圧位置に向かって移動することにより、第１近接位置から第１離間位置へ移動する。第２レバー２３Ｙについては、後で詳しく説明する。
【００４１】
なお、バネ１０１は、ドロワユニット２０に設けられる。バネ１０１は、露光ヘッド１４Ｙを、第１離間位置（図７参照）から第１近接位置（図４参照）へ向かう方向に押圧する。
【００４２】
また、第１レバー２２Ｙは、図８から図１０に示すように、ドロワユニット２０が外部位置から内部位置へ移動するときに、第１レバー２２Ｙを押圧する押圧位置（図８参照）から、第１レバー２２Ｙを押圧しない押圧解除位置（図１０参照）に向かって移動する。第１レバー２２Ｙは、押圧解除位置に位置するとき、第２レバー２３Ｙに対する押圧を解除する。すると、露光ヘッド１４Ｙは、バネ１０１の押圧力により、第１離間位置から第１近接位置へ移動する。
【００４３】
第１レバー２２Ｙは、図１１に示すように、円板２２１と、第１ロッド２２２と、第２ロッド２２３と、複数のギア歯２２４とを有する。
【００４４】
円板２２１は、第１サイドフレーム２７（図４参照）に回転可能に支持される。これにより、第１レバー２２Ｙは、ドロワフレーム２１に対して回転可能である。円板２２１の回転軸線は、軸線方向に延びる。
【００４５】
第１ロッド２２２は、円板２２１から延びる。第１ロッド２２２は、第１レバー２２Ｙが押圧解除位置に位置する状態で、円板２２１から下方へ向かって延びる。第１ロッド２２２は、ドロワユニット２０が内部位置から外部位置へ移動するときに、本体筐体２と接触する。詳しくは、第１ロッド２２２は、第１レバー２２Ｙが押圧解除位置に位置する状態で、ドロワユニット２０が内部位置から外部位置へ移動するときに、本体筐体２の突起１００と接触する。これにより、第１レバー２２Ｙが押圧解除位置から押圧位置に向かって移動する。
【００４６】
第２ロッド２２３は、円板２２１から延びる。第２ロッド２２３は、円板２２１の周方向において、第１ロッド２２２と間隔を隔てる。第２ロッド２２３は、第１レバー２２Ｙが押圧解除位置に位置する状態で、第２レバー２３Ｙの第１ロッド２３２の上方に、間隔を隔てて位置する。第２ロッド２２３は、第１レバー２２Ｙが押圧解除位置から押圧位置に移動することにより、第２レバー２３Ｙの第１ロッド２３２に接触する。第２ロッド２２３は、第１レバー２２Ｙが押圧位置に位置するときに、第２レバー２３Ｙの第１ロッド２３２を押圧する。
【００４７】
複数のギア歯２２４は、円板２２１の縁に位置する。複数のギア歯２２４は、第１レバー２２Ｙの回転方向に並ぶ。
【００４８】
３．１．３  第２レバー
第２レバー２３Ｙは、図４に示すように、第１サイドフレーム２７に取り付けられる。すなわち、ドロワユニット２０は、第２レバー２３Ｙを備える。第２レバー２３Ｙは、図７に示すように、第１レバー２２Ｙによって押圧されることにより回転可能である。第２レバー２３Ｙは、回転することにより、露光ヘッド１４Ｙを移動させる。すなわち、第２レバー２３Ｙは、ドロワユニット２０が内部位置から外部位置へ移動している間に、第１レバー２２Ｙと接触することにより、露光ヘッド１４Ｙを移動させる。第２レバー２３Ｙは、移動部材である。つまり、本体筐体２と接触するドロワユニット２０の一部である第１レバー２２Ｙは、移動部材である第２レバー２３Ｙを介して、露光ヘッド１４Ｙを移動させる。第２レバー２３Ｙは、回転軸２３１と、第１ロッド２３２と、第２ロッド２３３とを有する。
【００４９】
回転軸２３１は、第１サイドフレーム２７に回転可能に支持される。回転軸２３１は、移動方向に延びる。回転軸２３１は、円柱形状を有する。第２レバー２３Ｙは、回転軸２３１について回転可能である。
【００５０】
第１ロッド２３２は、回転軸２３１から延びる。第１ロッド２３２は、回転軸２３１に対して、第２ロッド２３３の反対側に位置する。第１ロッド２３２は、第１レバー２２Ｙが押圧解除位置から押圧位置に向かって移動するときに、第１レバー２２Ｙの第２ロッド２２３（図６参照）と接触する。
【００５１】
第２ロッド２３３は、回転軸２３１から露光ヘッド１４Ｙに向かって延びる。第２ロッド２３３は、露光ヘッド１４Ｙと接触する。詳しくは、露光ヘッド１４Ｙは、溝１０２を有する。第２ロッド２３３は、溝１０２に嵌まる。
【００５２】
３．１．４  歯止め
歯止め２４Ｙは、図８に示すように、第１レバー２２Ｙのギア歯２２４と噛み合うことにより、第１レバー２２Ｙの回転を止める。歯止め２４Ｙは、ギア歯２２４に噛み合う噛合位置（図８参照）と、ギア歯２２４との噛み合いが解除される噛合解除位置（図１０参照）との間を移動可能である。歯止め２４Ｙは、複数のギア歯２２４とともにラチェットを構成する。歯止め２４Ｙは、第１レバー２２Ｙの円板２２１（図１１参照）の径方向において、複数のギア歯２２４の外側に位置する。言い換えると、複数のギア歯２２４は、第１レバー２２Ｙの円板２２１の径方向において、円板２２１と歯止め２４Ｙとの間に位置する。具体的には、歯止め２４Ｙは、複数のギア歯２２４の下方に位置する。
【００５３】
３．１．５  第３レバー
第３レバー２５Ｙは、図８に示すように、ドロワユニット２０が外部位置に位置した状態で、歯止め２４Ｙを噛合位置に位置させる。これにより、第３レバー２５Ｙは、ドロワユニット２０が外部位置に位置した状態で、第１レバー２２Ｙを押圧位置に固定する。第１レバー２２Ｙが押圧位置に固定されることにより、露光ヘッド１４Ｙは、第１離間位置に固定される。
【００５４】
また、第３レバー２５Ｙは、図８から図１０に示すように、ドロワユニット２０が外部位置から内部位置へ移動する間に、第１レバー２２Ｙを、押圧位置から押圧解除位置に向かって押圧する。これにより、露光ヘッド１４Ｙの固定が解除され、露光ヘッド１４Ｙは、バネ１０１の押圧力により、第１離間位置から第１近接位置に移動する。
【００５５】
第３レバー２５Ｙは、図４に示すように、第１サイドフレーム２７に取り付けられる。第３レバー２５Ｙは、軸線方向において、第１レバー２２Ｙと並ぶ。第３レバー２５Ｙは、軸線方向において、第１レバー２２Ｙに対して、露光ヘッド１４Ｙの反対側に位置する。第３レバー２５Ｙは、第１レバー２２Ｙに対して回転可能である。第３レバー２５Ｙは、第１レバー２２Ｙの回転軸線について回転可能である。第３レバー２５Ｙは、接触位置（図８参照）と、離間位置（図１０参照）との間を回転可能である。第３レバー２５Ｙは、接触位置に位置するとき、歯止め２４Ｙに接触して歯止め２４Ｙを噛合位置に位置させる。第３レバー２５Ｙは、離間位置に位置するとき、歯止め２４Ｙから離れている。
【００５６】
第３レバー２５Ｙは、図１０に示すように、円板２５１と、第１ロッド２５２と、第２ロッド２５３と、第１突起２５４と、第２突起２５５と、第３突起２５６とを有する。
【００５７】
円板２５１は、第１レバー２２Ｙの円板２２１（図４参照）に対して回転可能である。これにより、第３レバー２５Ｙは、第１レバー２２Ｙに対して回転可能である。円板２５１の回転軸線は、軸線方向に延びる。円板２５１の回転軸線は、第１レバー２２Ｙの円板２２１の回転軸線と一致する。これにより、第３レバー２５Ｙは、第１レバー２２Ｙの回転軸線について回転可能である。
【００５８】
第１ロッド２５２は、円板２５１から延びる。第１ロッド２５２は、第３レバー２５Ｙが離間位置に位置する状態で、円板２５１から下方へ向かって延びる。図１１に示すように、第１ロッド２５２は、第１レバー２２Ｙが押圧解除位置に位置し、第３レバー２５Ｙが離間位置に位置するときに、軸線方向において、第１レバー２２Ｙの第１ロッド２２２と並ぶ。第１ロッド２５２は、ドロワユニット２０が内部位置から外部位置へ移動している間に、第１レバー２２Ｙの第１ロッド２２２とともに本体筐体２と接触する。詳しくは、第１ロッド２５２は、第３レバー２５Ｙが離間位置に位置する状態で、ドロワユニット２０が内部位置から外部位置へ移動するときに、第１レバー２２Ｙの第１ロッド２２２とともに、本体筐体２の突起１００と接触する。第１ロッド２５２が突起１００に接触することにより、第３レバー２５Ｙは、離間位置から接触位置に向かって移動する。
【００５９】
第２ロッド２５３は、図１０に示すように、円板２５１から延びる。第２ロッド２５３は、円板２５１の周方向において、第１ロッド２５２と間隔を隔てる。第２ロッド２５３は、第３レバー２５Ｙが離間位置に位置する状態で、ドロワユニット２０が内部位置から外部位置に移動したとき、本体筐体２の突起１００と接触しない。図８および図９に示すように、第２ロッド２５３は、ドロワユニット２０が外部位置から内部位置へ移動している間に、本体筐体２と接触する。詳しくは、第２ロッド２５３は、第３レバー２５Ｙが接触位置に位置する状態で、ドロワユニット２０が外部位置から内部位置に移動したとき、本体筐体２の突起１００と接触する。第２ロッド２５３が突起１００に接触することにより、第３レバー２５Ｙは、接触位置から離間位置へ向かって移動する。
【００６０】
第１突起２５４は、図１１に示すように、第２ロッド２５３に設けられる。第１突起２５４は、第２ロッド２５３から突出する。第１突起２５４は、軸線方向に延びる。第１突起２５４は、図６および図８に示すように、第３レバー２５Ｙが離間位置から接触位置へ移動するときに、歯止め２４Ｙを噛合解除位置から噛合位置へ向かって押圧する。そして、第１突起２５４は、図８に示すように、第３レバー２５Ｙが接触位置に位置するときに、噛合位置に位置する歯止め２４Ｙに接触する。
【００６１】
第２突起２５５は、図１１に示すように、第１ロッド２５２に設けられる。第２突起２５５は、第１ロッド２５２から突出する。第２突起２５５は、軸線方向に延びる。第２突起２５５は、図８から図１０に示すように、第３レバー２５Ｙが接触位置から離間位置へ移動するときに、第１レバー２２Ｙを押圧位置から押圧解除位置へ向かって押圧する。詳しくは、第２突起２５５は、第３レバー２５Ｙが接触位置から離間位置へ移動するときに、第１レバー２２Ｙの第１ロッド２２２と接触することにより、第１レバー２２Ｙを押圧位置から押圧解除位置へ向かって押圧する。これにより、ドロワユニット２０が外部位置から内部位置へ移動する間に、第１レバー２２Ｙを押圧解除位置へ戻し、露光ヘッド１４Ｙを第１近接位置に戻すことができる。
【００６２】
第３突起２５６は、図１０に示すように、円板２５１に設けられる。第３突起２５６は、円板２５１から突出する。第３突起２５６は、軸線方向に延びる。第３突起２５６は、第１面Ｓ１と、第２面Ｓ２とを有する。第１面Ｓ１は、第３レバー２５Ｙが離間位置に位置する状態で、バネ２６Ｙと接触する。第１面Ｓ１は、第３レバー２５Ｙが接触位置（図８参照）に位置する状態で、バネ２６Ｙと接触しない。第１面Ｓ１は、平面である。第２面Ｓ２は、図８に示すように、第３レバー２５Ｙが接触位置に位置する状態で、バネ２６Ｙと接触する。第２面Ｓ２は、第３レバー２５Ｙが離間位置（図１０参照）に位置する状態で、バネ２６Ｙと接触しない。第２面Ｓ２は、第１面Ｓ１と交差する平面である。
【００６３】
３．１．６  バネ
バネ２６Ｙは、図４に示すように、第１サイドフレーム２７に取り付けられる。バネ２６Ｙは、トーションばねである。バネ２６Ｙの一端は、第１サイドフレーム２７に対して固定される。バネ２６Ｙの他端は、第３レバー２５Ｙの第３突起２５６に接触する。
【００６４】
バネ２６Ｙは、図６に示すように、ドロワユニット２０が内部位置から外部位置へ移動するとき、第１レバー２２Ｙが押圧位置に位置し、第３レバー２５Ｙが離間位置と接触位置との間に位置する状態で、第１面Ｓ１と第２面Ｓ２とによって形成される角Ｃを、第３レバー２５Ｙが離間位置から接触位置へ向かう方向に向かって押圧する。これにより、図８に示すように、第３レバー２５Ｙは、バネ２６Ｙの押圧力により、接触位置へ移動する。バネ２６Ｙは、第３レバー２５Ｙが接触位置に位置するときに、第２面Ｓ２を押圧する。詳しくは、バネ２６Ｙは、第３レバー２５Ｙが接触位置に位置するときに、第３レバー２５Ｙが離間位置から接触位置に向かう方向に向かって、第３突起２５６の第２面Ｓ２を押圧する。これにより、第３レバー２５Ｙは、バネ２６Ｙの押圧力によって接触位置に固定される。また、歯止め２４Ｙは、第３レバー２５Ｙによって噛合位置に固定され、第１レバー２２Ｙは、歯止め２４Ｙによって押圧位置に固定される。第１レバー２２Ｙが押圧位置に固定されることにより、露光ヘッド１４Ｙは、第１離間位置に固定される。露光ヘッド１４Ｙが第１離間位置に固定されることにより、ドロワユニット２０が外部位置にあるときに、露光ヘッド１４Ｙが第１近接位置に戻ることを防止できる。
【００６５】
すなわち、第３レバー２５Ｙおよびバネ２６Ｙは、複数のギア歯２２４および歯止め２４Ｙとともに、固定機構を構成し、固定機構は、第１レバー２２Ｙを押圧位置で固定する。また、ドロワユニット２０は、固定機構を備え、固定機構は、ラチェットを含む。
【００６６】
また、バネ２６Ｙは、図９に示すように、ドロワユニット２０が外部位置から内部位置へ移動する途中で、第１レバー２２Ｙが押圧位置と押圧解除位置との間に位置し、第３レバー２５Ｙが接触位置と離間位置との間に位置する状態で、角Ｃを、第３レバー２５Ｙが接触位置から離間位置へ向かう方向に向かって押圧する。これにより、図１０に示すように、第３レバー２５Ｙは、バネ２６Ｙの押圧力により、離間位置へ移動する。バネ２６Ｙは、第３レバー２５Ｙが離間位置に位置するときに、第１面Ｓ１を押圧する。詳しくは、バネ２６Ｙは、第３レバー２５Ｙが離間位置に位置するときに、第３レバー２５Ｙが接触位置から離間位置に向かう方向に向かって、第３突起２５６の第１面Ｓ１を押圧する。これにより、第３レバー２５Ｙは、バネ２６Ｙの押圧力によって離間位置に固定される。
【００６７】
３．２  第１実施形態の作用効果
第１実施形態によれば、図４および図７に示すように、第１レバー２２Ｙが本体筐体２の突起１００と接触して回転し、回転した第１レバー２２Ｙが第２レバー２３Ｙを回転させることにより、露光ヘッド１４Ｙが移動する。
【００６８】
すなわち、露光ヘッド１４Ｙ以外のドロワユニット２０の一部である第１レバー２２Ｙが本体筐体２の突起１００と接触することにより、露光ヘッド１４Ｙが移動する。
【００６９】
そのため、露光ヘッド１４Ｙ自体が本体筐体２と接触する場合と比べて、本体筐体２と接触した際の衝撃が露光ヘッド１４Ｙに伝わることを抑制できる。
【００７０】
４．第２実施形態
図１２から図１４を参照して、第２実施形態について説明する。
【００７１】
４．１  ドロワユニットの詳細
図１２に示すように、ドロワユニット３０は、上記した複数の露光ヘッド１４Ｙ、１４Ｍ、１４Ｃ、１４Ｋに加え、ドロワフレーム３１と、複数のギア３２Ｙ、３２Ｍ、３２Ｃ、３２Ｋと、複数のワイヤー３３Ｙ、３３Ｍ、３３Ｃ、３３Ｋと、複数の第１バネ３４Ｙ、３４Ｍ、３４Ｃ、３４Ｋと、複数のロック部材３５Ｙ、３５Ｍ、３５Ｃ、３５Ｋと、複数の第２バネ３６Ｙ、３６Ｍ、３６Ｃ、３６Ｋと、複数の滑車３７Ｙ、３７Ｍ、３７Ｃ、３７Ｋを備える。また、ドロワユニット３０には、上記したドロワユニット４（図１参照）と同様に、複数のドラムカートリッジ１６Ｙ、１６Ｍ、１６Ｃ、１６Ｋ（図１参照）が装着可能である。
【００７２】
４．１．１  ドロワフレーム３１
ドロワフレーム３１は、図１２に示す第１サイドフレーム３１Ａと、図示されない第２サイドフレームとを備える。
【００７３】
第１サイドフレーム３１Ａは、移動方向に延びる。第１サイドフレーム３１Ａは、複数のギア３２Ｙ、３２Ｍ、３２Ｃ、３２Ｋと、複数のワイヤー３３Ｙ、３３Ｍ、３３Ｃ、３３Ｋと、複数の第１バネ３４Ｙ、３４Ｍ、３４Ｃ、３４Ｋと、複数のロック部材３５Ｙ、３５Ｍ、３５Ｃ、３５Ｋと、複数の第２バネ３６Ｙ、３６Ｍ、３６Ｃ、３６Ｋと、複数の滑車３７Ｙ、３７Ｍ、３７Ｃ、３７Ｋを支持する。
【００７４】
第２サイドフレームは、軸線方向において、感光ドラム１２Ｙに対して、第１サイドフレーム３１Ａの反対側に位置する。第２サイドフレームは、第１サイドフレーム３１Ａと同様に説明される。そのため、第２サイドフレームについての説明は、省略される。
【００７５】
４．１．２  ギア
図１２に示すように、複数のギア３２Ｙ、３２Ｍ、３２Ｃ、３２Ｋは、ドロワフレーム３１の側面に取り付けられる。複数のギア３２Ｙ、３２Ｍ、３２Ｃ、３２Ｋは、移動方向に並ぶ。複数のギア３２Ｙ、３２Ｍ、３２Ｃ、３２Ｋは、本体筐体２と接触するドロワユニット３０の一部である。詳しくは、本体筐体２は、複数のラックギア３９Ｙ、３９Ｍ、３９Ｃ、３９Ｋを備える。
【００７６】
上下方向におけるラックギア３９Ｍの位置は、上下方向におけるラックギア３９Ｙの位置と異なる。具体的には、ラックギア３９Ｍは、ラックギア３９Ｙよりも上に位置する。また、ラックギア３９Ｃは、ラックギア３９Ｍよりも上に位置し、ラックギア３９Ｋは、ラックギア３９Ｃよりも上に位置する。ラックギア３９Ｙ、３９Ｍ、３９Ｃ、３９Ｋのそれぞれの位置を上下方向に異ならせることにより、ラックギア３９Ｙ、３９Ｍ、３９Ｃ、３９Ｋのそれぞれの位置を軸線方向に異ならせた場合と比べて、軸線方向においてドロワユニット３０を小型化でき、ひいては、画像形成装置１を小型化できる。
【００７７】
複数のラックギア３９Ｙ、３９Ｍ、３９Ｃ、３９Ｋのそれぞれは、移動方向に延びる。ギア３２Ｙは、ドロワユニット３０が内部位置と外部位置との間を移動している間に、ラックギア３９Ｙに噛み合って回転する。詳しくは、ギア３２Ｙは、ドロワユニット３０が内部位置から外部位置へ移動している間に、ラックギア３９Ｙに噛み合って、ワイヤー３３Ｙを巻き取る方向に回転する。また、ギア３２Ｙは、ドロワユニット３０が外部位置から内部位置へ移動している間に、ラックギア３９Ｙに噛み合って、ワイヤー３３Ｙを巻き取る方向とは反対の方向に回転する。
【００７８】
図１３に示すように、ギア３２Ｙは、複数のギア歯３２Ａと、シャフト３２Ｂとを有する。複数のギア歯３２Ａは、ギア３２Ｙの回転方向に並ぶ。シャフト３２Ｂは、軸線方向において、複数のギア歯３２Ａとドロワフレーム３１の側面との間に位置する。シャフト３２Ｂには、ワイヤー３３Ｙの一端が取り付けられる。これにより、ギア３２Ｙが回転したときに、ワイヤー３３Ｙは、シャフト３２Ｂに巻き取られる。
【００７９】
ギア３２Ｍ、３２Ｃ、３２Ｋのそれぞれは、ギア３２Ｙと同じ構造を有し、ギア３２Ｙと同様に説明される。そのため、ギア３２Ｍ、３２Ｃ、３２Ｋについての説明は、省略される。すなわち、ギア３２Ｍは、ドロワユニット３０が内部位置と外部位置との間を移動している間に、ラックギア３９Ｍに噛み合って回転する。
【００８０】
４．１．３  ワイヤー
ワイヤー３３Ｙは、図１２に示すように、ギア３２Ｙと露光ヘッド１４Ｙとを接続する。詳しくは、ワイヤー３３Ｙの一端は、ギア３２Ｙに取り付けられる。ワイヤー３３Ｙの他端は、露光ヘッド１４Ｙに取り付けられる。また、ワイヤー３３Ｍは、ギア３２Ｍと露光ヘッド１４Ｍとを接続し、ワイヤー３３Ｃは、ギア３２Ｃと露光ヘッド１４Ｃとを接続し、ワイヤー３３Ｋは、ギア３２Ｋと露光ヘッド１４Ｋとを接続する。
【００８１】
ワイヤー３３Ｙは、ドロワユニット３０が内部位置から外部位置へ移動するときに、ギア３２Ｙが回転することによって、ギア３２Ｙのシャフト３２Ｂ（図１３参照）に巻き取られる。ワイヤー３３Ｙが巻き取られることにより、露光ヘッド１４Ｙは、第１近接位置（図１２参照）から第１離間位置（図１４参照）へ移動する。すなわち、ワイヤー３３Ｙは、ドロワユニット３０が内部位置から外部位置へ移動している間に、ギア３２Ｙと接触することにより露光ヘッド１４Ｙを移動させる。ワイヤー３３Ｙは、移動部材であり、ドロワフレーム３１は、移動部材を備える。つまり、本体筐体２と接触するドロワユニット３０の一部であるギア３２Ｙは、移動部材であるワイヤー３３Ｙを介して、露光ヘッド１４Ｙを移動させる。
【００８２】
詳しくは、ドロワフレーム３１は、複数の露光ヘッドガイド３８Ｙ、３８Ｍ、３８Ｃ、３８Ｋを有する。露光ヘッドガイド３８Ｙは、露光ヘッド１４Ｙの移動をガイドする。露光ヘッドガイド３８Ｍは、露光ヘッド１４Ｍの移動をガイドする。露光ヘッドガイド３８Ｃは、露光ヘッド１４Ｃの移動をガイドする。露光ヘッドガイド３８Ｋは、露光ヘッド１４Ｋの移動をガイドする。複数の露光ヘッドガイド３８Ｙ、３８Ｍ、３８Ｃ、３８Ｋのそれぞれは、上下方向に延びる。ワイヤー３３Ｙが巻き取られることにより、露光ヘッド１４Ｙは、露光ヘッドガイド３８Ｙにガイドされて、第１近接位置（図１２参照）から第１離間位置（図１４参照）へ移動する。
【００８３】
なお、露光ヘッド１４Ｍは、感光ドラム１２Ｍに近接する第２近接位置（図１２参照）と、第２近接位置よりも感光ドラム１２Ｍから離間する第２離間位置（図１４参照）との間を移動可能である。ワイヤー３３Ｍが巻き取られることにより、露光ヘッド１４Ｍは、露光ヘッドガイド３８Ｍにガイドされて、第２近接位置（図１２参照）から第２離間位置（図１４参照）へ移動する。露光ヘッド１４Ｃは、感光ドラム１２Ｃに近接する第３近接位置（図１２参照）と、第３近接位置よりも感光ドラム１２Ｃから離間する第３離間位置（図１４参照）との間を移動可能である。ワイヤー３３Ｃが巻き取られることにより、露光ヘッド１４Ｃは、露光ヘッドガイド３８Ｃにガイドされて、第３近接位置（図１２参照）から第３離間位置（図１４参照）へ移動する。露光ヘッド１４Ｋは、感光ドラム１２Ｋに近接する第４近接位置（図１２参照）と、第４近接位置よりも感光ドラム１２Ｋから離間する第４離間位置（図１４参照）との間を移動可能である。ワイヤー３３Ｋが巻き取られることにより、露光ヘッド１４Ｋは、露光ヘッドガイド３８Ｋにガイドされて、第４近接位置（図１２参照）から第４離間位置（図１４参照）へ移動する。
【００８４】
４．１．４  第１バネ
第１バネ３４Ｙは、図１４に示すように、第１離間位置に位置する露光ヘッド１４Ｙを第１近接位置へ向かって引っ張る。これにより、ギア３２Ｙがワイヤー３３Ｙを巻き取る方向とは反対の方向に回転したとき、露光ヘッド１４Ｙは、第１バネ３４Ｙによって引っ張られて、第１離間位置から第１近接位置へ移動する。第１バネ３４Ｙは、具体的には、コイルばねである。第１バネ３４Ｙの一端は、露光ヘッド１４Ｙに取り付けられる。第１バネ３４Ｙの他端は、ドロワフレーム３１に取り付けられる。
【００８５】
なお、第１バネ３４Ｍは、第２離間位置に位置する露光ヘッド１４Ｍを第２近接位置へ向かって引っ張る。第１バネ３４Ｃは、第３離間位置に位置する露光ヘッド１４Ｃを第３近接位置へ向かって引っ張る。第１バネ３４Ｋは、第４離間位置に位置する露光ヘッド１４Ｋを第４近接位置へ向かって引っ張る。第１バネ３４Ｍ、３４Ｃ、３４Ｋのそれぞれは、第１バネ３４Ｙと同じ構造を有し、第１バネ３４Ｙと同様に説明される。そのため、第１バネ３４Ｍ、３４Ｃ、３４Ｋについての説明は、省略される。
【００８６】
４．１．５  ロック部材
ロック部材３５Ｙは、図１２および図１４に示すように、露光ヘッド１４Ｙを第１離間位置にロックするロック位置（図１４参照）と、露光ヘッド１４Ｙに対するロックを解除するロック解除位置（図１２参照）との間を移動可能である。ロック部材３５Ｙは、ロック位置とロック解除位置との間を、移動方向にスライド可能である。ロック部材３５Ｙは、ドロワユニット３０が内部位置（図１２参照）から外部位置（図１４参照）へ移動している間に、ロック解除位置からロック位置へ移動する。また、ロック部材３５Ｙは、ドロワユニット３０が外部位置から内部位置へ移動している間に、ロック位置からロック解除位置へ移動する。
【００８７】
ロック部材３５Ｙは、移動方向に延びる。ロック部材３５Ｙは、移動方向において、一端と他端とを有する。また、ロック部材３５Ｙは、突起４１を有する。突起４１は、ロック部材３５Ｙの一端に位置する。突起４１は、ロック部材３５Ｙがロック位置に位置した状態で、第１離間位置に位置する露光ヘッド１４Ｙの凹部４２に嵌まる。これにより、ロック部材３５Ｙは、露光ヘッド１４Ｙを第１離間位置にロックする。露光ヘッド１４Ｙが第１離間位置にロックされることにより、ドロワユニット３０が外部位置に位置するときに、露光ヘッド１４Ｙが第１近接位置に戻ることを防止できる。
【００８８】
ロック部材３５Ｙは、ロック位置に位置する状態で、ドロワユニット３０が外部位置（図１４参照）から内部位置（図１２参照）へ移動している間に、本体筐体２内の突起４０Ｙと接触する。すなわち、本体筐体２は、突起４０Ｙを備え、突起４０Ｙは、ドロワユニット３０が外部位置から内部位置へ移動するときに、ロック位置に位置するロック部材３５Ｙと接触する。ロック部材３５Ｙは、ドロワユニット３０が外部位置から内部位置へ移動するときに、突起４０Ｙと接触した状態で、ロック位置からロック解除位置へ移動する。なお、ロック部材３５Ｙは、図１２に示すように、本体部４３と、接触部４４とを有する。本体部４３は、突起４１を有する。接触部４４は、ドロワユニット３０が外部位置（図１４参照）から内部位置（図１２参照）へ移動している間に、突起４０Ｙと接触する。接触部４４は、図１３に示すように、本体部４３から軸線方向に突出する。突起４０Ｙは、ドロワユニット３０が内部位置に位置する状態において、軸線方向において、本体部４３と異なる位置に位置する。突起４０Ｙは、ドロワユニット３０が内部位置に位置する状態において、軸線方向において、本体部４３に対して間隔を隔てる。すなわち、突起４０Ｙは、ドロワユニット３０が外部位置（図１４参照）から内部位置（図１２参照）へ移動している間に、本体部４３とは接触しないで、接触部４４と接触する。
【００８９】
また、図１２および図１４に示すように本体筐体２は、さらに、突起４０Ｍ、４０Ｃ、４０Ｋを備える。突起４０Ｍは、ドロワユニット３０が外部位置から内部位置へ移動するときに、ロック位置に位置するロック部材３５Ｍと接触する。突起４０Ｃは、ドロワユニット３０が外部位置から内部位置へ移動するときに、ロック位置に位置するロック部材３５Ｃと接触する。突起４０Ｋは、ドロワユニット３０が外部位置から内部位置へ移動するときに、ロック位置に位置するロック部材３５Ｋと接触する。
【００９０】
ロック部材３５Ｍ、３５Ｃ、３５Ｋのそれぞれは、ロック部材３５Ｙと同じ構造を有し、ロック部材３５Ｙと同様に説明される。そのため、ロック部材３５Ｍ、３５Ｃ、３５Ｋについての説明は、省略される。
【００９１】
４．１．６  第２バネ
第２バネ３６Ｙは、図１２に示すように、ロック解除位置に位置するロック部材３５Ｙをロック位置（図１４参照）に向かって押圧する。これにより、ロック部材３５Ｙは、ドロワユニット３０が内部位置から外部位置へ移動するときに、ロック解除位置からロック位置へ移動する。第２バネ３６Ｙは、ロック部材３５Ｙの他端に接触する。第２バネ３６Ｙは、コイルばねである。
【００９２】
第２バネ３６Ｍ、３６Ｃ、３６Ｋのそれぞれは、第２バネ３６Ｙと同じ構造を有し、第２バネ３６Ｙと同様に説明される。そのため、第２バネ３６Ｍ、３６Ｃ、３６Ｋについての説明は、省略される。
【００９３】
４．１．７  滑車
滑車３７Ｙは、図１２に示すように、ギア３２Ｙに対して、移動方向に間隔を隔てる。滑車３７Ｙは、露光ヘッド１４Ｙに対して、上方に位置する。滑車３７Ｙは、露光ヘッドガイド３８Ｙの上方に位置する。滑車３７Ｙには、ワイヤー３３Ｙが接触する。ワイヤー３３Ｙは、ギア３２Ｙと滑車３７Ｙとの間において、移動方向に延び、滑車３７Ｙと露光ヘッド１４Ｙとの間において、上下方向に延びる。
【００９４】
滑車３７Ｍ、３７Ｃ、３７Ｋのそれぞれは、滑車３７Ｙと同じ構造を有し、滑車３７Ｙと同様に説明される。そのため、滑車３７Ｍ、３７Ｃ、３７Ｋについての説明は、省略される。すなわち、滑車３７Ｍには、ワイヤー３３Ｍが接触する。
【００９５】
第１近接位置に位置する露光ヘッド１４Ｙと滑車３７Ｙとの距離は、第２近接位置に位置する露光ヘッド１４Ｍと滑車３７Ｍとの距離と同じである。これにより、露光ヘッド１４Ｙの移動距離と、露光ヘッド１４Ｍの移動距離とを同じにすることができる。なお、第３近接位置に位置する露光ヘッド１４Ｃと滑車３７Ｃとの距離、および、第４近接位置に位置する露光ヘッド１４Ｋと滑車３７Ｋとの距離も、第２近接位置に位置する露光ヘッド１４Ｍと滑車３７Ｍとの距離と同じである。
【００９６】
４．２  第２実施形態の作用効果
第２実施形態によれば、図１２および図１４に示すように、ギア３２Ｙが本体筐体２のラックギア３９Ｙと噛み合って回転し、回転したギア３２Ｙがワイヤー３３Ｙを巻き取ることにより、露光ヘッド１４Ｙが移動する。
【００９７】
すなわち、露光ヘッド１４Ｙ以外のドロワユニット３０の一部であるギア３２Ｙが本体筐体２のラックギア３９Ｙと接触することにより、露光ヘッド１４Ｙが移動する。
【００９８】
そのため、露光ヘッド１４Ｙ自体が本体筐体２と接触する場合と比べて、本体筐体２と接触した際の衝撃が露光ヘッド１４Ｙに伝わることを抑制できる。
【００９９】
５．第３実施形態
図１５および図１６を参照して、第３実施形態について説明する。
【０１００】
５．１  ドロワユニットの詳細
図１５に示すように、ドロワユニット５０は、上記した複数の露光ヘッド１４Ｙ、１４Ｍ、１４Ｃ、１４Ｋに加え、ドロワフレーム５１と、複数のバネ５２Ｙ、５２Ｍ、５２Ｃ、５２Ｋと、複数のギア５３Ｙ、５３Ｍ、５３Ｃ、５３Ｋとを備える。また、ドロワユニット５０には、上記したドロワユニット４（図１参照）と同様に、複数のドラムカートリッジ１６Ｙ、１６Ｍ、１６Ｃ、１６Ｋ（図１参照）が装着可能である。
【０１０１】
５．１．１  ドロワフレーム
ドロワフレーム５１は、第１実施形態と同じように、図１５に示す第１サイドフレーム５１Ａと、図示されない第２サイドフレームとを備える。
【０１０２】
第１サイドフレーム５１Ａは、移動方向に延びる。第１サイドフレーム５１Ａは、第１実施形態の第１サイドフレーム２７（図４参照）と同様に、内部に空間を有する。第１サイドフレーム５１Ａは、複数のギア５３Ｙ、５３Ｍ、５３Ｃ、５３Ｋを収容する。
【０１０３】
第２サイドフレームは、軸線方向において、感光ドラム１２Ｙに対して、第１サイドフレーム５１Ａの反対側に位置する。第２サイドフレームは、第１サイドフレーム５１Ａと同様に説明される。そのため、第２サイドフレームについての説明は、省略される。
【０１０４】
５．１．２  バネ
バネ５２Ｙは、露光ヘッド１４Ｙを第１離間位置（図１６参照）から第１近接位置（図１５参照）へ向かって押圧する。バネ５２Ｙは、コイルばねである。バネ５２Ｙは、露光ヘッド１４Ｙに接触する。
【０１０５】
なお、バネ５２Ｍ、５２Ｃ、５２Ｋのそれぞれは、バネ５２Ｙと同じ構造を有し、バネ５２Ｙと同様に説明される。そのため、バネ５２Ｍ、５２Ｃ、５２Ｋについての説明は、省略される。
【０１０６】
５．１．３  ギア
複数のギア５３Ｙ、５３Ｍ、５３Ｃ、５３Ｋは、移動方向に並ぶ。複数のギア５３Ｙ、５３Ｍ、５３Ｃ、５３Ｋは、互いに間隔を隔てる。複数のギア５３Ｙ、５３Ｍ、５３Ｃ、５３Ｋのそれぞれは、ドロワユニット５０が内部位置（図１５参照）と外部位置（図１６参照）との間を移動している間に、ラックギア５９に噛み合って回転する。詳しくは、本体筐体２は、１つのラックギア５９を有する。複数のギア５３Ｙ、５３Ｍ、５３Ｃ、５３Ｋのそれぞれは、ドロワユニット５０が内部位置から外部位置へ移動している間に、ギア５３Ｙ、５３Ｍ、５３Ｃ、５３Ｋの順に、ラックギア５９に噛み合って回転する。また、複数のギア５３Ｙ、５３Ｍ、５３Ｃ、５３Ｋのそれぞれは、ドロワユニット５０が外部位置から内部位置へ移動している間に、ギア５３Ｋ、５３Ｃ、５３Ｍ、５３Ｙの順に、ラックギア５９に噛み合って回転する。ギア５３Ｙは、本体部５４ＹＡと、カム５４ＹＢとを有する。
【０１０７】
カム５４ＹＢは、軸線方向において、本体部５４ＹＡの側面から突出する。カム５４ＹＢは、本体部５４ＹＡとともに回転可能である。カム５４ＹＢは、押圧位置（図１６参照）と、押圧解除位置（図１５参照）との間を移動可能である。
【０１０８】
カム５４ＹＢは、ドロワユニット５０が内部位置から外部位置へ移動している間に、ギア５３Ｙが回転することによって、押圧位置に移動する。カム５４ＹＢは、図１６に示すように、押圧位置に位置するとき、露光ヘッド１４Ｙを第１離間位置に位置させる。
【０１０９】
また、カム５４ＹＢは、ドロワユニット５０が外部位置から内部位置へ移動している間に、ギア５３Ｙが回転することによって、押圧解除位置に移動する。カム５４ＹＢは、図１５に示すように、押圧解除位置に位置するとき、露光ヘッド１４Ｙに対する押圧を解除する。
【０１１０】
詳しくは、露光ヘッド１４Ｙは、露光フレーム５５と、露光フレーム５５から延びるバー５６とを有する。バー５６は、第１平面Ｓ１１を有する。すなわち、露光ヘッド１４Ｙは、第１平面Ｓ１１を有する。第１平面Ｓ１１は、具体的には、バー５６の下面である。第１平面Ｓ１１は、押圧位置に位置するカム５４ＹＢと接触可能である。
【０１１１】
カム５４ＹＢは、半円形状を有する。カム５４ＹＢは、第２平面Ｓ１２と、円弧面Ｓ１３とを有する。第２平面Ｓ１２は、カム５４ＹＢが押圧位置に位置するときに、露光ヘッド１４Ｙの第１平面Ｓ１１と接触する。これにより、カム５４ＹＢが押圧位置に位置するとき、露光ヘッド１４Ｙは、第１離間位置に固定される。露光ヘッド１４Ｙが第１離間位置に固定されることにより、ドロワユニット５０が外部位置にあるときに、露光ヘッド１４Ｙが第１近接位置に戻ることを防止できる。
【０１１２】
また、円弧面Ｓ１３は、カム５４ＹＢが押圧解除位置から押圧位置へ移動する間に、露光ヘッド１４Ｙの第１平面Ｓ１１と接触する。これにより、カム５４ＹＢが押圧解除位置から押圧位置へ移動する間に、露光ヘッド１４Ｙは、第１近接位置から第１離間位置に向かって移動する。すなわち、本体筐体２と接触するドロワユニット５０の一部であるギア５３Ｙは、露光ヘッド１４Ｙを移動させる。
【０１１３】
５．２  第３実施形態の作用効果
第３実施形態によれば、図１５および図１６に示すように、ギア５３Ｙが本体筐体２のラックギア５９と噛み合って回転し、ギア５３Ｙに設けられるカム５４ＹＢが露光ヘッド１４Ｙのバー５６を押圧することにより、露光ヘッド１４Ｙが移動する。
【０１１４】
すなわち、露光ヘッド１４Ｙ以外のドロワユニット５０の一部であるギア５３Ｙが本体筐体２のラックギア５９と接触することにより、露光ヘッド１４Ｙが移動する。
【０１１５】
そのため、露光ヘッド１４Ｙ自体が本体筐体２と接触する場合と比べて、本体筐体２と接触した際の衝撃が露光ヘッド１４Ｙに伝わることを抑制できる。
【０１１６】
６．第４実施形態
図１７から図２４を参照して、第４実施形態について説明する。
【０１１７】
６．１  ドロワユニットの詳細
図１７に示すように、ドロワユニット６０は、ドロワフレーム６１と、複数のレバー６２Ｙ、６２Ｍ、６２Ｃ、６２Ｋと、複数のカバー６３Ｙ、６３Ｍ、６３Ｃ、６３Ｋを備える。また、ドロワユニット６０は、上記した複数の露光ヘッド１４Ｙ、１４Ｍ、１４Ｃ、１４Ｋ（図１８参照）を備える。また、ドロワユニット６０には、上記したドロワユニット４（図１参照）と同様に、複数のドラムカートリッジ１６Ｙ、１６Ｍ、１６Ｃ、１６Ｋ（図１参照）が装着可能である。
【０１１８】
６．１．１  ドロワフレーム
図１７に示すように、ドロワフレーム６１は、第１サイドフレーム６１Ａと、第２サイドフレーム６１Ｂと、板金６１Ｃ（図１８参照）とを備える。すなわち、ドロワユニット６０は、板金６１Ｃを有する。
【０１１９】
図１８に示すように、第１サイドフレーム６１Ａは、移動方向に延びる。第１サイドフレーム６１Ａは、レバー６２Ｙ、６２Ｍ、６２Ｃ、６２Ｋを支持する。第１サイドフレーム６１Ａは、複数の溝６４Ｙ、６４Ｍ、６４Ｃ、６４Ｋを有する。溝６４Ｙは、レバー６２Ｙが第１位置と第２位置との間を移動することを、許容する。第１位置および第２位置については、後で説明する。溝６４Ｙは、レバー６２Ｙの回転方向に延びる。溝６４Ｍ、６４Ｃ、６４Ｋのそれぞれは、溝６４Ｙと同じ構造を有し、溝６４Ｙと同様に説明される。そのため、溝６４Ｍ、６４Ｃ、６４Ｋについての説明は、省略される。
【０１２０】
図１７に示すように、第２サイドフレーム６１Ｂは、軸線方向において、感光ドラム１２Ｙに対して、第１サイドフレーム６１Ａの反対側に位置する。第２サイドフレーム６１Ｂは、第１サイドフレーム６１Ａと同様に説明される。そのため、第２サイドフレーム６１Ｂについての説明は、省略される。
【０１２１】
図１８に示すように、板金６１Ｃは、移動方向に延びる。板金６１Ｃには、複数のドラムカートリッジ１６Ｙ、１６Ｍ、１６Ｃ、１６Ｋがドラムユニット６０に装着された状態で、複数の感光ドラム１２Ｙ、１２Ｍ、１２Ｃ、１２Ｋが固定される。詳しくは、図１９に示すように、板金６１Ｃは、複数の溝８０Ｙ、８０Ｍ、８０Ｃ、８０Ｋと、２つの突起８１Ｙと、２つの突起８１Ｍと、２つの突起８１Ｃと、２つの突起８１Ｋとを有する。
【０１２２】
複数の溝８０Ｙ、８０Ｍ、８０Ｃ、８０Ｋのそれぞれは、移動方向において、互いに間隔を隔てて並ぶ。溝８０Ｙには、ドラムカートリッジ１６Ｙがドラムユニット６０に装着されたときに、感光ドラム１２Ｙ（図１８参照）の端部が嵌まる。溝８０Ｙは、上下方向に延びる。なお、溝８０Ｍ、８０Ｃ、８０Ｋのそれぞれは、溝８０Ｙと同じ形状を有し、溝８０Ｙと同様に説明される。そのため、溝８０Ｍ、８０Ｃ、８０Ｋのそれぞれについての説明は、省略される。
【０１２３】
２つの突起８１Ｙは、溝８０Ｙの下端部に位置する。２つの突起８１Ｙのそれぞれは、溝８０Ｙ内に位置する。２つの突起８１Ｙのそれぞれは、図２１に示すように、ドラムカートリッジ１６Ｙがドラムユニット６０に装着された状態で、感光ドラム１２Ｙの端部に接触する。これにより、ドラムカートリッジ１６Ｙがドラムユニット６０に装着された状態で、感光ドラム１２Ｙは、板金６１Ｃに固定される。２つの突起８１Ｙのそれぞれは、ドラムカートリッジ１６Ｙがドラムユニット６０に装着された状態で、感光ドラム１２Ｙの径方向において、感光ドラム１２Ｙの端部に向かって突出する。２つの突起８１Ｙのそれぞれは、ドラムカートリッジ１６Ｙがドラムユニット６０に装着された状態で、感光ドラム１２Ｙの回転方向において、互いに間隔を隔てる。図１９に示すように、２つの突起８１Ｍ、２つの突起８１Ｃ、および、２つの突起８１Ｋは、２つの突起８１Ｙと同じ形状を有し、２つの突起８１Ｙと同様に説明される。そのため、２つの突起８１Ｍ、２つの突起８１Ｃ、および、２つの突起８１Ｋについての説明は、省略される。
【０１２４】
また、板金６１Ｃは、複数の部分Ｐ１、Ｐ２、Ｐ３、Ｐ４を有する。複数の部分Ｐ１、Ｐ２、Ｐ３、Ｐ４は、板金６１Ｃの上端部に位置する。複数の部分Ｐ１、Ｐ２、Ｐ３、Ｐ４のそれぞれは、移動方向において、互いに間隔を隔てる。複数の部分Ｐ１、Ｐ２、Ｐ３、Ｐ４のそれぞれは、移動方向に延びる。部分Ｐ１は、２つの突起８１Ｙの上方に位置する。部分Ｐ１は、軸線方向に見て、溝６４Ｙ（図１８参照）の下端部内に位置する。部分Ｐ２は、２つの突起８１Ｍの上方に位置する。部分Ｐ２は、軸線方向に見て、溝６４Ｍ（図１８参照）の下端部内に位置する。部分Ｐ３は、２つの突起８１Ｃの上方に位置する。
部分Ｐ３は、軸線方向に見て、溝６４Ｃ（図１８参照）の下端部内に位置する。部分Ｐ４は、２つの突起８１Ｋの上方に位置する。部分Ｐ４は、軸線方向に見て、溝６４Ｋ（図１８参照）の下端部内に位置する。
【０１２５】
６．１．２  レバー
レバー６２Ｙは、図１７に示すように、軸線方向において、第１サイドフレーム６１Ａに対して、露光ヘッド１４Ｙの反対側に位置する。レバー６２Ｙは、第１サイドフレーム６１Ａの溝６４Ｙを介して、露光ヘッド１４Ｙ（図２２参照）に接続される。レバー６２Ｙは、第１サイドフレーム６１Ａに支持される。レバー６２Ｙは、第１サイドフレーム６１Ａに対して回転可能である。レバー６２Ｙは、露光ヘッド１４Ｙを第１近接位置に位置させる第１位置（図２０参照）と、露光ヘッド１４Ｙを第１離間位置に位置させる第２位置（図１８参照）との間を回転可能である。図２２に示すように、レバー６２Ｙは、回転軸６５Ｙと、第１ロッド６６Ｙと、第２ロッド６７Ｙとを有する。
【０１２６】
回転軸６５Ｙは、第１サイドフレーム６１Ａに支持される。回転軸６５Ｙは、第１サイドフレーム６１Ａに対して回転可能である。これにより、レバー６２Ｙは、第１サイドフレーム６１Ａに対して回転可能である。回転軸６５Ｙは、軸線方向に延びる。すなわち、回転軸６５Ｙが延びる方向は、軸線方向である。回転軸６５Ｙは、円柱形状を有する。
【０１２７】
第１ロッド６６Ｙは、露光ヘッド１４Ｙに接続される。詳しくは、第１ロッド６６Ｙは、第１部分６６Ａと、第２部分６６Ｂと、突起６６Ｃと、凹部６６Ｄとを有する。すなわち、レバー６２Ｙは、凹部６６Ｄを有する。
【０１２８】
第１部分６６Ａは、軸線方向において、第１サイドフレーム６１Ａ（図１７参照）に対して、露光ヘッド１４Ｙの反対側に位置する。第１部分６６Ａは、回転軸６５Ｙの径方向に延びる。第１部分６６Ａは、第１サイドフレーム６１Ａに沿って延びる。第１部分６６Ａは、回転軸６５Ｙに接続する。
【０１２９】
第２部分６６Ｂは、第１サイドフレーム６１Ａの溝６４Ｙ（図１７参照）に通る。第２部分６６Ｂは、第１部分６６Ａから延びる。第２部分６６Ｂは、軸線方向に延びる。第２部分６６Ｂは、露光ヘッド１４Ｙに接続される。第２部分６６Ｂは、図２１に示すように、レバー６２Ｙが第１位置に位置するときに、板金６１Ｃの部分Ｐ１に接触する。すなわち、レバー６２Ｙは、第１位置に位置するときに、板金６１Ｃに接触する。これにより、レバー６２Ｙは、第１位置に位置決めされる。また、感光ドラム１２Ｙが固定される板金６１Ｃにレバー６２Ｙが位置決めされるので、感光ドラム１２Ｙに対する露光ヘッド１４Ｙの位置精度の向上を図ることができる。
【０１３０】
突起６６Ｃは、図１８に示すように、第１部分６６Ａに設けられる。突起６６Ｃは、レバー６２Ｙが第２位置に位置するときに、第１サイドフレーム６１Ａの突起７１Ｙと接触する。これにより、レバー６２Ｙは、第２位置に位置決めされる。突起６６Ｃは、軸線方向に見て、円弧形状を有する。なお、第１サイドフレーム６１Ａの突起７１Ｙは、第１サイドフレーム６１Ａに対して、露光ヘッド１４Ｙの反対側に位置する。突起７１Ｙは、第１サイドフレーム６１Ａから延びる。突起７１Ｙは、軸線方向に延びる。突起７１Ｙは、角柱形状を有する。突起７１Ｙは、平面７２Ｙを有する。突起６６Ｃは、レバー６２Ｙが第２位置に位置するときに、突起７１Ｙの平面７２Ｙに接触する。
【０１３１】
凹部６６Ｄは、図２３に示すように、第２部分６６Ｂに設けられる。凹部６６Ｄには、レバー６２Ｙが第１位置に位置するときに、現像カートリッジ５Ｙのカップリング７３Ｙが嵌まる。詳しくは、現像カートリッジ５Ｙは、カップリング７３Ｙを有する。カップリング７３Ｙには、現像カートリッジ５Ｙが装着されたドロワユニット６０が内部位置に位置する状態で、本体筐体２内に設けられる図示しない本体カップリングが嵌まる。これにより、カップリング７３Ｙは、本体カップリングとともに回転可能となる。カップリング７３Ｙは、現像カートリッジ５Ｙの側面に位置する。カップリング７３Ｙは、軸線方向に延びる。カップリング７３Ｙは、円筒形状を有する。カップリング７３Ｙは、複数のギア歯７３１を有する。レバー６２Ｙの第２部分６６Ｂは、レバー６２Ｙが第１位置に位置するときに、移動方向においてカップリング７３Ｙと並ぶ。このとき、凹部６６Ｄには、カップリング７３Ｙのギア歯７３１が嵌まる。これにより、レバー６２Ｙ第１位置に位置するときに、レバー６２Ｙの第２部分６６Ｂがカップリング７３Ｙと接触することを防止できる。また、レバー６２Ｙと現像カートリッジ５Ｙとを、より近接させて配置できるので、ドロワユニット６０を小型化でき、ひいては、画像形成装置１を小型化できる。
【０１３２】
第２ロッド６７Ｙは、図２０に示すように、ドロワユニット６０が内部位置に位置するときに、本体筐体２内に設けられる突起７４に接触する。すなわち、第２ロッド６７Ｙは、本体筐体２に接触する。第２ロッド６７Ｙは、図２２に示すように、回転軸６５Ｙの径方向に延びる。第２ロッド６７Ｙは、回転軸６５Ｙに接続する。第２ロッド６７Ｙは、軸線方向において、第１ロッド６６Ｙに対して、第１サイドフレーム６１Ａ（図１８参照）の反対側に位置する。すなわち、回転軸６５Ｙが延びる方向における第２ロッド６７Ｙの位置は、回転軸６５Ｙが延びる方向における第１ロッド６６Ｙの位置と異なる。第２ロッド６７Ｙは、接触面６７Ａを有する。接触面６７Ａは、ドロワユニット６０が外部位置から内部位置へ移動する間に、突起７４と接触する。接触面６７Ａは、軸線方向に見て、円弧形状を有する。接触面６７Ａが円弧形状であることにより、突起７４と接触したときに、レバー６２Ｙを円滑に移動させることができる。接触面６７Ａは、レバー６２Ｙが第２位置（図１８参照）に位置する状態で、第１サイドフレーム６１Ａのレール６９の下方に間隔を隔てて位置する。なお、レバー６２Ｙの全部は、レバー６２Ｙが第２位置に位置する状態で、第１サイドフレーム６１Ａのレール６９の下方に間隔を隔てて位置する。レール６９は、第１サイドフレーム６１Ａから突出する。レール６９は、移動方向に延びる。レール６９は、図２０に示すように、本体筐体２内に設けられるレール７５と接触する。レール６９は、レール７５に支持される。レバー６２Ｙは、ドロワユニット６０が外部位置から内部位置へ移動する間に、本体筐体２の突起７４が第２ロッド６７Ｙの接触面６７Ａに接触することにより、第２位置から第１位置へ向かって移動する。これにより、露光ヘッド１４Ｙは、第１離間位置から第１近接位置へ移動する。すなわち、レバー６２Ｙは、本体筐体２に接触するドロワユニットの一部であり、露光ヘッド１４Ｙを移動させる。
【０１３３】
なお、レバー６２Ｙは、図２４に示すように、バネ６８により、第１位置から第２位置へ向かって押圧されている。これにより、レバー６２Ｙは、ドロワユニット６０が内部位置から外部位置へ移動する間に、本体筐体２の突起７４と第２ロッド６７Ｙとの接触が解除されることにより、バネ６８の押圧力によって、第１位置から第２位置へ向かって移動する。バネ６８は、具体的には、トーションばねである。バネ６８の一端は、第１サイドフレーム６１Ａに取り付けられる。バネ６８の他端は、レバー６２Ｙの第１部分６６Ａに取り付けられる。
【０１３４】
また、レバー６２Ｍ、６２Ｃ、６２Ｋのそれぞれは、レバー６２Ｙと同じ構造を有し、レバー６２Ｙと同様に説明される。そのため、レバー６２Ｍ、６２Ｃ、６２Ｋについての説明は、省略される。
【０１３５】
６．１．３  カバー
図１７および図１８に示すように、カバー６３Ｙは、露光ヘッド１４Ｙが第１離間位置に位置するときに露光ヘッド１４Ｙを覆う。これにより、ドロワユニット６０が外部位置に位置し、露光ヘッド１４Ｙが第１離間位置に位置する状態で、露光ヘッド１４Ｙを保護できる。カバー６３Ｙは、軸線方向に延びる。カバー６３Ｙは、第１サイドフレーム６１Ａから第２サイドフレーム６１Ｂまで延びる。カバー６３Ｙは、金属製である。
【０１３６】
カバー６３Ｍ、６３Ｃ、６３Ｋのそれぞれは、カバー６３Ｙと同じ構造を有し、カバー６３Ｙと同様に説明される。そのため、カバー６３Ｍ、６３Ｃ、６３Ｋについての説明は、省略される。
【０１３７】
６．２  第４実施形態の作用効果
第４実施形態によれば、図１８および図２０に示すように、レバー６２Ｙが本体筐体２の突起７４と接触して回転することにより、レバー６２Ｙと接続する露光ヘッド１４Ｙが移動する。
【０１３８】
すなわち、露光ヘッド１４Ｙ以外のドロワユニット６０の一部であるレバー６２Ｙが本体筐体２の突起７４と接触することにより、露光ヘッド１４Ｙが移動する。
【０１３９】
そのため、露光ヘッド１４Ｙ自体が本体筐体２と接触する場合と比べて、本体筐体２と接触した際の衝撃が露光ヘッド１４Ｙに伝わることを抑制できる。
【符号の説明】
【０１４０】
１        画像形成装置
２        本体筐体
４        ドロワユニット
５Ｙ      現像カートリッジ
１２Ｙ    感光ドラム
１４Ｙ    露光ヘッド
２０      ドロワユニット
２１      ドロワフレーム
２２Ｙ    第１レバー
２３Ｙ    第２レバー
２４Ｙ    歯止め
２５Ｙ    第３レバー
２６Ｙ    バネ
３０      ドロワユニット
３１      ドロワフレーム
３２Ｙ    ギア
３３Ｙ    ワイヤー
３４Ｙ    第１バネ
３５Ｙ    ロック部材
３６Ｙ    第２バネ
３７Ｙ    滑車
５０      ドロワユニット
５１      ドロワフレーム
５２Ｙ    バネ
５３Ｙ    ギア
５４ＹＢ  カム
６０      ドロワユニット
６１      ドロワフレーム
６２Ｙ    レバー
６３Ｙ    カバー
【図１】
2019117370.tif 000003
【図２】
2019117370.tif 000004
【図３】
2019117370.tif 000005
【図４】
2019117370.tif 000006
【図５】
2019117370.tif 000007
【図６】
2019117370.tif 000008
【図７】
2019117370.tif 000009
【図８】
2019117370.tif 000010
【図９】
2019117370.tif 000011
【図１０】
2019117370.tif 000012
【図１１】
2019117370.tif 000013
【図１２】
2019117370.tif 000014
【図１３】
2019117370.tif 000015
【図１４】
2019117370.tif 000016
【図１５】
2019117370.tif 000017
【図１６】
2019117370.tif 000018
【図１７】
2019117370.tif 000019
【図１８】
2019117370.tif 000020
【図１９】
2019117370.tif 000021
【図２０】
2019117370.tif 000022
【図２１】
2019117370.tif 000023
【図２２】
2019117370.tif 000024
【図２３】
2019117370.tif 000025
【図２４】
2019117370.tif 000026